(57)【要約】【課題】移動体を利用した防犯対策を効率良く行う。【解決手段】複数の移動体に夫々設けられ移動体が移動するときの移動体の外部の情報を取得する取得部と、複数の移動体の中で同じ地域を移動した移動体の夫々の取得部により取得される情報に基づいて、地域ごとの巡回方針を決定する決定部と、決定部によって決定された各地域の巡回方針に応じて運行指令を生成する運行指令生成部と、を備える。【選択図】図３
2019117574.tif 000002
【特許請求の範囲】
【請求項１】
運行指令に基づいて自動で巡回する複数の移動体を含んだ自動運転システムにおいて、
複数の前記移動体に夫々設けられ前記移動体が移動するときの前記移動体の外部の情報を取得する取得部と、
複数の前記移動体の中で同じ地域を移動した前記移動体の夫々の前記取得部により取得される前記情報に基づいて、前記地域ごとの巡回方針を決定する決定部と、
前記決定部によって決定された各地域の巡回方針に応じて運行指令を生成する運行指令生成部と、
を備える自動運転システム。
【請求項２】
前記取得部は、前記情報として人の数を取得し、
前記決定部は、人の数が少ない地域は多い地域よりも前記移動体による巡回頻度が高くなるように前記巡回方針を決定する、
請求項１に記載の自動運転システム。
【請求項３】
前記取得部は、前記情報として人の数を取得し、
前記決定部は、人の数が少ない地域は多い地域よりも巡回させる前記移動体の数が多くなるように前記巡回方針を決定する、
請求項１または２に記載の自動運転システム。
【請求項４】
前記取得部は、前記情報として照度を取得し、
前記決定部は、前記照度が低い地域は高い地域よりも前記移動体による巡回頻度が高くなるように前記巡回方針を決定する、
請求項１から３の何れか１項に記載の自動運転システム。
【請求項５】
前記取得部は、前記情報として照度を取得し、
前記決定部は、前記照度が低い地域は高い地域よりも巡回させる前記移動体の数が多くなるように前記巡回方針を決定する、
請求項１から４の何れか１項に記載の自動運転システム。
【請求項６】
前記移動体は周囲を照らす照明部を備え、
前記取得部は、前記情報として照度を取得し、
前記決定部は、照度が低い地域は高い地域よりも前記照明部が明るくなるように前記巡回方針を決定する、
請求項１から５の何れか１項に記載の自動運転システム。
【請求項７】
複数の前記移動体は、大きさが異なる移動体を含み、
前記取得部は、前記情報として道路の幅を取得し、
前記決定部は、道路の幅が狭い地域は広い地域よりも小さい移動体が巡回するように前記巡回方針を決定する、
請求項１から６の何れか１項に記載の自動運転システム。
【請求項８】
前記取得部は、前記移動体の外部を撮像するカメラを含む、
請求項１から７の何れか１項に記載の自動運転システム。
【請求項９】
複数の地域を運行指令に基づいて自動運転する複数の移動体を含んだ自動運転方法において、
複数の前記移動体が夫々外部の情報を取得するステップと、
複数の前記移動体の中で同じ地域を移動した夫々の移動体により取得される前記情報に
基づいて、各地域の環境に応じた巡回方針を地域毎に決定するステップと、
前記巡回方針に応じた運行指令を生成するステップと、
を含む自動運転方法。
【発明の詳細な説明】
【技術分野】
【０００１】
本発明は、自動運転システム及び自動運転方法に関する。
【背景技術】
【０００２】
人による運転操作を必要とせず自律走行を行う移動体が開発されている。例えば、特許文献１には、ユーザ又は荷物を運んでいる移動体が走行不能となった場合であっても、他の移動体と連携してユーザ等を目的地まで運ぶことが記載されている。また、特許文献１には、夜間等の移動体の使用が少ない時間帯において、所定の地域を巡回させる運行指令を生成し、所定の地域における防犯対策に移動体を利用している。
【先行技術文献】
【特許文献】
【０００３】
【特許文献１】特開２０１５−０９２３２０号公報
【発明の概要】
【発明が解決しようとする課題】
【０００４】
特許文献１に記載の移動体による防犯対策では、時間や地域等に応じた指示を移動体が受けることになるが、この指示は予め定められているため、その時の実際の状況に応じたものではない。ここで、複数の移動体が取得した情報を利用して、システム全体で防犯対策を行うことができれば、効率の良い防犯対策が可能になり得る。したがって、所定の地域を巡回させる従来の技術には改善の余地がある。
【０００５】
本発明は、上記したような種々の実情に鑑みてなされたものであり、その目的は、移動体を利用した防犯対策を効率良く行うことを実現することにある。
【課題を解決するための手段】
【０００６】
本発明の態様の一つは、運行指令に基づいて自動で巡回する複数の移動体を含んだ自動運転システムにおいて、複数の前記移動体に夫々設けられ前記移動体が移動するときの前記移動体の外部の情報を取得する取得部と、複数の前記移動体の中で同じ地域を移動した前記移動体の夫々の前記取得部により取得される前記情報に基づいて、前記地域ごとの巡回方針を決定する決定部と、前記決定部によって決定された各地域の巡回方針に応じて運行指令を生成する運行指令生成部と、を備える自動運転システムである。
【０００７】
複数の移動体は、夫々、移動しながら取得部により外部の情報を取得する。この情報は、防犯に関する情報または移動体の移動に関する情報であり、この情報に基づいて移動体を移動させることにより防犯効果が高まる情報である。この情報は、例えば、人の数に関する情報であったり、明るさに関する情報であったり、道路の幅に関する情報である。これらの情報は、例えば撮像した画像を解析することにより取得した情報であってもよく、センサで検知することにより取得した情報であってもよい。各地域において複数の移動体が夫々情報を取得し、それらの情報を収集することにより、各地域の現状を把握することができる。そして、各地域において複数の移動体から取得される情報に基づいて、各地域の現状に基づいた巡回方針を決定することにより、それぞれの地域の現状に応じた巡回が可能となる。このようにして、移動体を利用した防犯対策を効率良く行うことができる。運行指令生成部は、巡回方針に基づいた運行指令を生成する。この運行指令に基づいて、各移動体が決められた巡回経路を巡回する。ここでいう地域は、同じ巡回方針を適用する範囲として定められており、行政区分と必ずしも一致する必要はない。例えば、道路毎に異なる地域を設定することもできる。移動体は、１つの地域を巡回してもよいし、複数の
地域に亘って巡回してもよい。このように、各地域の現状に基づいた巡回を行うことにより、移動体を利用した防犯対策を効率良く行うことができる。
【０００８】
前記取得部は、前記情報として人の数を取得し、前記決定部は、人の数が少ない地域は多い地域よりも前記移動体による巡回頻度が高くなるように前記巡回方針を決定することができる。
【０００９】
人の数が多い地域では、人の数が多いというだけで防犯上の利点がある。すなわち、人目があることにより、犯罪の抑止力となり得る。一方、人の数が少ない地域では、その利点を得難い。人の数が少ない地域には移動体の巡回頻度が高くなるように巡回方針を決定することにより、防犯効果を高めることができる。一方、人の数が多い地域には移動体の巡回頻度が低くなるように巡回方針を決定することにより、必要以上に移動体が巡回することを抑制できる。このようにして、移動体を利用した防犯対策を効率良く行うことができる。巡回頻度は、各地域の所定の位置において単位時間当たりに通過する移動体の数としてもよい。なお、夫々の地域の広さが異なる場合には、人の数は、単位面積当たりの人の数としてもよい。巡回頻度は、同じ移動体が巡回する回数を多くすることによって高めることもできるし、巡回する移動体の数を多くすることによって高めることもできる。したがって、ある地域において巡回する移動体の数を増加させた場合には、移動体の巡回頻度が高くなるといえる。
【００１０】
すなわち、前記取得部は、前記情報として人の数を取得し、前記決定部は、人の数が少ない地域は多い地域よりも巡回させる前記移動体の数が多くなるように前記巡回方針を決定することができる。人の数が少ない地域には巡回させる移動体の数がより多くなるように巡回方針を決定することにより、防犯効果を高めることができる。
【００１１】
また、前記取得部は、前記情報として照度を取得し、前記決定部は、前記照度が低い地域は高い地域よりも前記移動体による巡回頻度が高くなるように前記巡回方針を決定することができる。
【００１２】
照度が高い地域（明るい地域）では照度の低い地域（暗い地域）よりも防犯上の利点がある。照度が低い地域には移動体の巡回頻度が高くなるように巡回方針を決定することにより、防犯効果を高めることができる。一方、照度の高い地域には移動体の巡回頻度が低くなるように巡回方針を決定することにより、必要以上に移動体が巡回することを抑制できる。このようにして、移動体を利用した防犯対策を効率良く行うことができる。照度は、各地域の平均値を用いてもよい。
【００１３】
また、前記取得部は、前記情報として照度を取得し、前記決定部は、前記照度が低い地域は高い地域よりも巡回させる前記移動体の数が多くなるように前記巡回方針を決定することができる。照度の低い地域には巡回させる移動体の数がより多くなるように巡回方針を決定することにより、防犯効果を高めることができる。
【００１４】
また、前記移動体は周囲を照らす照明部を備え、前記取得部は、前記情報として照度を取得し、前記決定部は、照度が低い地域は高い地域よりも前記照明部が明るくなるように前記巡回方針を決定することができる。
【００１５】
このように、照度の低い地域には、照明部がより明るくなるように巡回方針を決定することにより、防犯効果を高めることができる。一方、照度が高い地域には、必要以上に照明部を明るくすることを抑制できる。このようにして、移動体を利用した防犯対策を効率良く行うことができる。なお、照明部を明るくすることには、照明の光度を上げること、または、点灯する照明部の数を増やすことを含む。
【００１６】
複数の前記移動体は、大きさが異なる移動体を含み、前記取得部は、前記情報として道路の幅を取得し、前記決定部は、道路の幅が狭い地域は広い地域よりも小さい移動体が巡回するように前記巡回方針を決定することができる。
【００１７】
道路の幅が狭い地域では、より小さい移動体を巡回させることにより、円滑な巡回が可能となる。また、道路の幅がより狭い道路にも移動体を巡回させることができるため、防犯効果が高くなる。道路の幅は、各地域の平均値を用いてもよいし、各地域の最小値を用いてもよい。
【００１８】
また、前記取得部は、前記移動体の外部を撮像するカメラを含むことができる。このカメラにより撮像された画像に基づいて、移動体の外部の情報を取得することができる。また、このカメラにより撮像された画像に基づいて、移動体の外部を監視することができるため、より一層の防犯効果が望める。
【００１９】
また、本発明の態様の一つは、複数の地域を運行指令に基づいて自動運転する複数の移動体を含んだ自動運転方法において、複数の前記移動体が夫々外部の情報を取得するステップと、複数の前記移動体の中で同じ地域を移動した夫々の移動体により取得される前記情報に基づいて、各地域の環境に応じた巡回方針を地域毎に決定するステップと、前記巡回方針に応じた運行指令を生成するステップと、を含む自動運転方法である。
【発明の効果】
【００２０】
本発明によれば、移動体を利用した防犯対策を効率良く行うことができる。
【図面の簡単な説明】
【００２１】
【図１】自動運転システムの概略構成を示す図である。
【図２】図１に示した自動運転システムの構成の一例を概略的に示したブロック図である。
【図３】自動運転システムの動作のフローを示す図である。
【図４】実施形態２に係る自動運転システムの構成の一例を概略的に示したブロック図である。
【図５】実施形態３に係る自動運転システムの概略構成を示す図である。
【発明を実施するための形態】
【００２２】
以下、本発明の具体的な実施形態について図面に基づいて説明する。本実施形態に記載される構成部品の寸法、材質、形状、相対配置等は、特に記載がない限り発明の技術的範囲をそれらのみに限定する趣旨のものではない。なお、以下の実施形態は可能な限り組み合わせることができる。
【００２３】
＜実施形態１＞
<システム概要>
実施形態１に係る自動運転システム１の概要について、図１を参照しながら説明する。図１は、自動運転システム１の概略構成を示す図である。本実施形態に係る自動運転システム１は、与えられた運行指令に基づいて自律走行を行う複数の自律走行車両１００（以下、単に車両１００ともいう。）と、当該運行指令を発行するセンタサーバ２００と、を含んでいる。車両１００と、センタサーバ２００とは、ネットワークＮ１によって相互に接続される。なお、図１に示す自動運転システム１には、例示的に３台の車両１００を含んでいるが、車両１００は４台以上であってもよい。複数の車両１００は、防犯対策等のために所定の巡回経路に従って道路を巡回する車両である。
【００２４】
センタサーバ２００は、複数の車両１００の夫々に対応した運行指令を生成して、夫々の車両１００に運行指令を送信する。運行指令を受信した夫々の車両１００は、運行指令に基づいた所定の巡回経路にしたがって道路を巡回する。各車両１００の巡回経路は夫々異なっていてもよい。各車両１００は、所定の巡回経路にしたがって道路を巡回するときに、道路の情報や、道路周辺の情報を取得する。このときに車両１００に取得される情報を周辺情報とする。周辺情報は、道路の幅に関する情報、夜間の照明の明るさに関する情報、人通りの多さに関する情報等の、車両１００の通行に関する情報、及び防犯に関連する情報である。各車両１００が取得した周辺情報は、センタサーバ２００に送信される。センタサーバ２００は、各地域における周辺情報を受信すると、地域毎に周辺情報に応じた運行指令を生成し、各車両１００へ送信する。例えば、道路の幅が狭い地域では、小型の車両１００が巡回するように運行指令を生成する。また、人通りの少ない地域（人の数が少ない地域）では、他の地域よりも巡回する車両１００の数が多くなるように、若しくは、巡回頻度が高くなるように運行指令を生成する。また、夜間照明が少ない地域では、他の地域よりも巡回する車両１００の数が多くなるように、または、巡回頻度が高くなるように、さらには、車両１００に備わる照明部で周辺を照らすように運行指令を生成する。運行指令を受信した各車両１００は、運行指令にしたがって運行計画を生成し、この運行計画にしたがって巡回を行う。なお、本実施形態では、周辺情報として人の数を取得し、この人の数に基づいて車両１００を巡回させる例について説明する。
【００２５】
<システム構成>
システムの構成要素について、詳しく説明する。図２は、図１に示した自動運転システム１の構成の一例を概略的に示したブロック図である。なお、図２において車両１００は例示的に１台示しているが、実際には複数存在する。
【００２６】
車両１００は、センタサーバ２００から取得した運行指令に従って走行する車両である。具体的には、無線通信を介して取得した運行指令に基づいて走行する経路を生成し、車両の周辺をセンシングしながら適切な方法で道路上を走行する。車両１００は、センサ１０１、位置情報取得部１０２、制御部１０３、駆動部１０４、通信部１０５、カメラ１０６、記憶部１０７を含んで構成される。車両１００は、不図示のバッテリから供給される電力で動作する。なお、車両１００は、本発明における移動体に相当する。
【００２７】
センサ１０１は、車両周辺のセンシングを行う手段であり、典型的にはステレオカメラ、レーザスキャナ、ＬＩＤＡＲ、レーダなどを含んで構成される。センサ１０１が取得した情報は、制御部１０３に送信される。位置情報取得部１０２は、車両の現在位置を取得する手段であり、典型的にはＧＰＳ受信機などを含んで構成される。位置情報取得部１０２が取得した情報は、制御部１０３に送信される。
【００２８】
制御部１０３は、センサ１０１から取得した情報に基づいて、車両１００の制御を行うコンピュータである。制御部１０３は、例えば、マイクロコンピュータによって構成される。制御部１０３は、機能モジュールとして、運行計画生成部１０３１、環境検出部１０３２、走行制御部１０３３、情報取得部１０３４を有している。各機能モジュールは、ＲＯＭ（Read Only Memory）等の記憶手段に記憶されたプログラムをＣＰＵ（Central Processing Unit）（いずれも不図示）によって実行することで実現してもよい。
【００２９】
運行計画生成部１０３１は、センタサーバ２００から運行指令を取得し、自車両の運行計画を生成する。本実施形態において、運行計画とは、車両１００が走行する経路と、経路の一部または全部において車両１００が行うべき処理を規定したデータである。運行計画に含まれるデータの例として、例えば、以下のようなものが挙げられる。
【００３０】
（１）自車両が走行する経路を道路リンクの集合によって表したデータ
自車両が走行する経路は、例えば、記憶された地図データを参照し、運行指令に基づいて自動的に生成してもよい。また、外部のサービスを利用して生成してもよい。なお、自車両が走行する経路は、サーバ装置から提供されてもよい。すなわち、運行指令に含まれていてもよい。また、記憶手段（不図示）に記憶されている複数の経路の中から自車両が走行する経路を、運行計画生成部１０３１が運行指令にしたがって選択してもよい。
【００３１】
（２）自車両が行うべき処理を表したデータ
自車両が行うべき処理には、例えば、周辺情報を取得すること等が含まれるが、これに限らない。運行計画生成部１０３１が生成した運行計画は、後述する走行制御部１０３３へ送信される。
【００３２】
環境検出部１０３２は、センサ１０１が取得したデータに基づいて、車両周辺の環境を検出する。検出の対象は、例えば、車線の数や位置、自車両の周辺に存在する車両の数や位置、自車両の周辺に存在する障害物（例えば歩行者、自転車、構造物、建築物など）の数や位置、道路の構造、道路標識などであるが、これらに限られない。自律的な走行を行うために必要なものであれば、検出の対象はどのようなものであってもよい。また、環境検出部１０３２は、検出した物体をトラッキングしてもよい。例えば、１ステップ前に検出した物体の座標と、現在の物体の座標との差分から、当該物体の相対速度を求めてもよい。環境検出部１０３２が検出した、環境に関するデータ（以下、環境データ）は、後述する走行制御部１０３３へ送信される。
【００３３】
走行制御部１０３３は、運行計画生成部１０３１が生成した運行計画と、環境検出部１０３２が生成した環境データ、ならびに、位置情報取得部１０２が取得した自車両の位置情報に基づいて、自車両の走行を制御する。例えば、所定の経路に沿って走行し、かつ、自車両を中心とする所定の安全領域内に障害物が進入しないように自車両を走行させる。車両を自律走行させる方法については、公知の方法を採用することができる。また、走行制御部１０３３は、位置情報取得部１０２が取得した自車両の位置情報を、通信部１０５を介してセンタサーバ２００へ送信する。したがって、センタサーバ２００は、各車両１００の現在位置を把握している。
【００３４】
情報取得部１０３４は、周辺情報を取得する。本実施形態では、情報取得部１０３４は、カメラ１０６によって撮影された画像を解析することにより、人の数を計数することで周辺情報を取得する。この画像解析には公知の方法を採用することができる。なお、本実施形態では、カメラ１０６によって撮影された画像に基づいて人の数を計数しているが、これに限らず、例えば、センサ１０１によって人の数を計数してもよい。情報取得部１０３４は、計数した人の数を、位置情報取得部１０２により取得される位置情報と関連付けて記憶部１０７に記憶させる、若しくは、センタサーバ２００に送信する。なお、カメラ１０６は、本発明における取得部として機能する。
【００３５】
駆動部１０４は、走行制御部１０３３が生成した指令に基づいて、車両１００を走行させる手段である。駆動部１０４は、例えば、車輪を駆動するためのモータやインバータ、ブレーキ、ステアリング機構等を含んで構成される。通信部１０５は、車両１００をネットワークＮ１に接続するための通信手段である。本実施形態では、３ＧやＬＴＥ等の移動体通信サービスを利用して、ネットワーク経由で他の装置（例えばセンタサーバ２００）と通信を行うことができる。
【００３６】
カメラ１０６は、車両１００の車体に設けられており、車両１００の周辺を撮影する。カメラ１０６は、例えばＣＣＤ（Charge Coupled Device）イメージセンサまたはＣＭＯ
Ｓ（Complementary Metal Oxide Semiconductor）イメージセンサなどの撮像素子を用い
て撮影を行う。撮影により得られる画像は、静止画または動画の何れであってもよい。な
お、車体の複数の箇所に複数のカメラ１０６が設けられていてもよい。例えば、前方、後方、左右側方にそれぞれカメラが設置されていてもよい。記憶部１０７は、情報を記憶する手段であり、ＲＡＭ、磁気ディスクやフラッシュメモリなどの記憶媒体により構成される。記憶部１０７には、例えば地図データや情報取得部１０３４によって取得された周辺情報が記憶されている。
【００３７】
次に、センタサーバ２００について説明する。センタサーバ２００は、複数の車両１００の走行位置を管理し、各車両１００に運行指令を送信する装置である。センタサーバ２００は、各車両１００から送られる周辺情報に基づいて、各車両１００の運行指令を生成し、生成した運行指令を各車両１００に送信する。
【００３８】
センタサーバ２００は、通信部２０１、制御部２０２、記憶部２０３を含んで構成される。通信部２０１は、車両１００の通信部１０５と同様の、ネットワークＮ１経由で車両１００などと通信を行うための通信インターフェースである。制御部２０２は、センタサーバ２００の制御を司る手段である。制御部２０２は、例えば、ＣＰＵによって構成される。制御部２０２は、機能モジュールとして位置情報管理部２０２１、運行指令生成部２０２２、周辺情報収集部２０２３、方針決定部２０２４を有している。各機能モジュールは、ＲＯＭ等の記憶手段に記憶されたプログラムをＣＰＵ（いずれも不図示）によって実行することで実現してもよい。
【００３９】
位置情報管理部２０２１は、管理下にある複数の車両１００から位置情報を収集し、管理する。具体的には、所定の周期ごとに複数の車両１００から位置情報を受信し、日時と関連付けて後述の記憶部２０３に記憶させる。運行指令生成部２０２２は、各車両１００に対する運行指令を生成する。運行指令には、各車両１００が巡回する経路を表したデータや、各車両１００が行うべき処理を表したデータが含まれる。周辺情報収集部２０２３は、各車両１００から送られる周辺情報を収集し記憶部２０３に記憶させる。このときに周辺情報収集部２０２３は、各車両１００の位置情報に基づいて周辺情報を地域毎に分けて記憶部２０３に記憶させる。本実施形態では、地域毎の人の数が記憶部２０３に記憶される。
【００４０】
方針決定部２０２４は、周辺情報収集部２０２３が収集した周辺情報に基づいて、各地域の運行指令の方針（以下、巡回方針ともいう。）を決定する。この巡回方針は、人の数が少ない地域は多い地域よりも車両１００による巡回頻度が高くなるように決定される。このときには、人の数が少ない地域は多い地域よりも巡回させる車両１００の数が多くなるように決定してもよい。各地域の範囲は、同じ巡回方針を適用する範囲として、予め定められている。人の数は、各車両１００により計数された値をそのまま用いてもよいが、各地域の単位面積当たりの人の数を算出してこの値を用いてもよい。なお、方針決定部２０２４は、本発明における決定部として機能する。決定された巡回方針は、運行指令生成部２０２２へ送られ、この巡回方針に基づいて運行指令生成部２０２２が運行指令を生成する。運行指令生成部２０２２は、巡回方針から運行指令を生成する所定のプログラムを実行することにより運行指令を生成する。記憶部２０３は、情報を記憶する手段であり、ＲＡＭ、磁気ディスクやフラッシュメモリなどの記憶媒体により構成される。
【００４１】
<システム動作>
本実施形態に係る自動運転システム１の動作について図３に基づいて説明する。図３に示すフローでは、センタサーバ２００の運行指令生成部２０２２が各車両１００に対応する運行指令を生成する（Ｓ１１の処理）。初回の運行指令は、各車両１００が所定の巡回経路にしたがって巡回し、カメラ１０６による撮影を行って情報取得部１０３４による情報の取得が行われるように生成される。この運行指令は、センタサーバ２００の通信部２０１を介して各車両１００に送信される（Ｓ１２の処理）。運行指令を受信した車両１０
０の運行計画生成部１０３１は、運行指令に含まれる巡回経路にしたがって運行計画を生成し（Ｓ１３の処理）、この運行計画にしたがって走行制御部１０３３が走行制御を実施する（Ｓ１４の処理）。走行制御では、駆動部１０４が走行制御部１０３３によって制御されることにより、車両１００が所定の巡回経路を走行する。なお、運行計画の生成はセンタサーバ２００が行い、この運行計画をセンタサーバ２００から車両１００へ送信してもよい。車両１００が所定の巡回経路を走行しているときに、情報取得部１０３４は、カメラ１０６を介して車両１００の周辺情報を取得する（Ｓ１５の処理）。情報取得部１０３４は、取得した周辺情報を位置情報取得部１０２により取得される位置情報と関連付けて記憶部１０７に記憶させる。そして、情報取得部１０３４は、適宜の時期に周辺情報を通信部１０５を介してセンタサーバ２００に送信する（Ｓ１６の処理）。
【００４２】
各車両１００から周辺情報を受信したセンタサーバ２００の周辺情報収集部２０２３は、各車両１００の位置情報から、同じ地域を巡回した車両１００の周辺情報を収集し、地域毎に記憶部２０３に記憶させる（Ｓ１７の処理）。巡回方針を決定できるだけの周辺情報が収集されると、方針決定部２０２４は、記憶部２０３に記憶されている地域毎のデータにアクセスし、地域毎の周辺情報に応じた巡回方針を決定する（Ｓ１８の処理）。例えば、人の数が少ない地域は多い地域よりも、車両１００の巡回頻度が高くなるように、または、巡回させる車両１００の数が多くなるように各地域の巡回方針が決定される。
【００４３】
運行指令生成部２０２２は、方針決定部２０２４から送信された巡回方針にしたがって、各車両１００の運行指令を生成する（Ｓ１９の処理）。例えば、一部の車両１００に対しては、人の数が多い地域から少ない地域へ移動するように運行指令を生成してもよい。この運行指令は、センタサーバ２００の通信部２０１を介して各車両１００に送信される（Ｓ１８の処理）。また、この運行指令も、カメラ１０６による撮影を行って情報取得部１０３４による情報の取得が行われるように生成される。Ｓ２１〜Ｓ２３の処理では、Ｓ１３〜Ｓ１５と同じ処理が実行される。そして、Ｓ１３〜Ｓ２０と同じ処理が、所定時間毎に繰り返し実行されることにより、その時の各地域の状況に応じた巡回方針をその都度生成して車両１００を巡回させることができる。
【００４４】
なお、本実施形態１では、車両１００のカメラ１０６で撮影された画像を防犯対策に用いてもよい。例えば、カメラ１０６で人を撮影し、この画像を情報取得部１０３４が取得する。そして、通信部１０５を介して画像をセンタサーバ２００へ送信する。センタサーバ２００の制御部２０２は、画像に写っている人物が、防犯上問題のない人物であるか否か判定する。この判定は、例えば、予め記憶部２０３に記憶されている防犯上問題のある人物（例えば、指名手配犯）と比較することにより行われる。この比較には、公知の技術が用いられる。このようにして、防犯上問題のある人物を検出し、防犯に寄与することができる。
【００４５】
なお、本実施形態及び以下の実施形態において、センタサーバ２００の機能の一部または全部を車両１００に持たせることもできるし、車両１００の機能の一部をセンタサーバ２００に持たせることもできる。例えば、複数の車両１００の中に、運行指令を生成する車両があってもよく、他の車両から周辺情報を収集する車両があってもよく、巡回方針を決定する車両があってもよい。
【００４６】
以上説明したように、本実施形態によれば、各地域の人の数に応じて車両１００を運行させるため、移動体を利用した防犯対策を効率良く行うことができる。
【００４７】
＜実施形態２＞
本実施形態２では、車両１００に照明部１０８を備え、夜間に暗い地域において車両１００の照明部１０８で周囲をより明るく照らすように巡回方針が決定される。図４は、本
実施形態２に係る自動運転システム１の構成の一例を概略的に示したブロック図である。なお、図４において車両１００は例示的に１台示しているが、実際には複数存在する。実施形態１と異なる点について主に説明する。車両１００は、車両１００の外部を照らす照明部１０８と、車両１００の外部の照度を検出する照度センサ１０９とを更に備えている。照明部１０８は、典型的には照明灯等を含んだ照明器具であるが、これに限らず、車両１００の周辺を照らせるものであればよい。例えば、液晶ディスプレイ、有機ＥＬディスプレイ、プラズマディスプレイ等を照明部１０８として採用してもよい。本実施形態２に係る情報取得部１０３４は、照度センサ１０９によって照度を検出することで、周辺情報を取得する。なお、本実施形態２では、車両１００の外部の照度を照度センサ１０９によって検出するが、これに代えて、カメラ１０６によって撮影された画像を解析することにより得てもよい。この周辺情報は、位置情報と共にセンタサーバ２００に送信される。なお、カメラ１０６又は照度センサ１０９は、本発明における取得部として機能する。
【００４８】
本実施形態では、周辺情報収集部２０２３が、各地域の照度を収集し、各車両１００の位置情報に基づいて照度を地域毎に分けて記憶させる。この照度は、例えば、地域毎の平均照度としてもよい。方針決定部２０２４は、周辺情報収集部２０２３が収集した各地域の照度に基づいて、各地域の巡回方針を決定する。この巡回方針は、例えば、照度が低い地域は高い地域よりも照明部１０８の光度がより高くなるようにしてもよいし、照度が閾値以下の地域では照明部１０８を点灯させ、照度が閾値よりも高い地域では照明部１０８を点灯させないようにしてもよい。なお、車両１００が照明部１０８を複数備えている場合には、点灯する照明部１０８の数を、各地域の照度に応じて変化させるように巡回方針を決定してもよい。決定された巡回方針は、運行指令生成部２０２２へ送られ、この巡回方針に基づいて運行指令生成部２０２２が運行指令を生成する。運行指令生成部２０２２は、巡回方針から運行指令を生成する所定のプログラムを実行することにより運行指令を生成する。
【００４９】
本実施形態に係る自動運転システム１の動作については、実施形態１で説明した図３に示すフローと同様に考えることができる。すなわち、Ｓ１５の処理では、車両１００が所定の巡回経路を走行しているときに、情報取得部１０３４が、照度センサ１０９を介して車両１００の周辺情報を取得する。各車両１００は周辺情報をセンタサーバ２００へ送信し、Ｓ１７の処理において、地域毎に照度が記憶部２０３に記憶される。Ｓ１８の処理では、方針決定部２０２４は、例えば、照度が低い地域は高い地域よりも照明部１０８の光度がより高くなるように、各地域の巡回方針を決定する。
【００５０】
なお、上記説明では、検出される各地域の照度が低い場合には、例えば照明部１０８の光度が高くなるように巡回方針を決定しているが、これに代えて、照度が低い地域は高い地域よりも車両１００による巡回頻度が高くなるように巡回方針を決定してもよい。このときには、照度が低い地域は高い地域よりも巡回させる車両１００の数が多くなるように巡回方針を決定してもよい。すなわち、照度の低い地域では、防犯効果を高めるように、車両１００の巡回頻度を高くしたり車両１００の数を多くしてもよい。この場合、実施形態１における人の数が少ない地域を、照度の低い地域に置き換え、人の数が多き地域を、照度の高い地域に置き換えればよい。
【００５１】
このように、実施形態２によれば、各地域の照度に応じて車両１００を運行させるため、移動体を利用した防犯対策を効率良く行うことができる。
【００５２】
＜実施形態３＞
本実施形態３に係る自動運転システム１では、大きさの異なる車両１００を備えており、道路の幅が狭い地域では広い地域よりも、小さい車両１００で巡回するように巡回方針が決定される。複数の車両１００は、横幅及び全長の少なくとも一方が異なる少なくとも
２種類の車両１００を含む。この場合、道路の幅が狭いほど、横幅や全長の短い車両１００を巡回させるようにしてもよい。道路の幅は、図２または図４におけるセンサ１０１で検出してもよいし、カメラ１０６で撮影された画像を解析することにより取得してもよい。道路の幅は、情報取得部１０３４によって通信部１０５を介してセンタサーバ２００へ送信される。センタサーバ２００の記憶部２０３には、各車両１００の大きさを示す情報、または、各車両１００に対応する道路の幅の情報が記憶されている。なお、センサ１０１またはカメラ１０６は、本発明における取得部として機能する。
【００５３】
本実施形態では、周辺情報収集部２０２３が、各地域の道路の幅を収集し、各車両１００の位置情報に基づいて道路の幅を地域毎に分けて記憶部２０３に記憶させる。なお、地域毎に道路の幅の平均値を算出し、この平均値を地域毎に記憶部２０３に記憶させてもよい。方針決定部２０２４は、周辺情報収集部２０２３が収集した各地域の道路の幅に基づいて、各地域の巡回方針を決定する。例えば、道路の幅が狭い地域は広い地域よりも小さな車両１００で巡回させる。決定された巡回方針は、運行指令生成部２０２２へ送られ、この巡回方針に基づいて運行指令生成部２０２２が運行指令を生成する。運行指令生成部２０２２は、巡回方針から運行指令を生成する所定のプログラムを実行することにより運行指令を生成する。
【００５４】
図５は、小型の車両１００Ａと大型の車両１００Ｂとを含む自動運転システム１の概略構成を示した図である。小型の車両１００Ａは、大型の車両１００Ｂよりも、全長、全幅、及び全高が短い。このような大きさの異なる２種類の車両１００を含む場合には、道路の幅が閾値よりも狭い地域は小型の車両１００Ａに巡回させ、道路の幅が閾値よりも広い地域は大型の車両１００Ｂに巡回させるようにしてもよい。この閾値は、大型の車両１００Ｂが走行可能な道路の幅に応じて定められる。
【００５５】
本実施形態に係る自動運転システム１の動作については、実施形態１で説明した図３に示すフローと同様に考えることができる。すなわち、Ｓ１５の処理では、車両１００が所定の巡回経路を走行しているときに、情報取得部１０３４が、センサ１０１またはカメラ１０６を介して車両１００の周辺情報を取得する。各車両１００は周辺情報をセンタサーバ２００へ送信し、Ｓ１７の処理において、地域毎に道路の幅が記憶部２０３に記憶される。Ｓ１８の処理では、方針決定部２０２４は、例えば、道路の幅が狭い地域は広い地域よりも小さな車両１００で巡回させるように、各地域の巡回方針を決定する。Ｓ１９において、運行指令生成部２０２２は、各車両１００の大きさに応じて各地域に車両１００が配車されるように、各車両１００の運行指令を生成する。
【００５６】
このようにして、道路の幅が狭い地域であっても、より小さな車両１００で巡回させることにより、円滑な巡回が可能となる。したがって、実施形態３によっても、移動体を利用した防犯対策を効率良く行うことができる。
【符号の説明】
【００５７】
１  自動運転システム
１００  自律走行車両
２００  センタサーバ
【図１】
2019117574.tif 000003
【図２】
2019117574.tif 000004
【図３】
2019117574.tif 000005
【図４】
2019117574.tif 000006
【図５】
2019117574.tif 000007